(57)【要約】【課題】音質の調整を容易に行うことができ、製造作業のさらなる効率化が可能な直立筒型のスピーカー装置を提供する。【解決手段】電気信号を空気振動に変換して音を再生するスピーカーユニット１を、鉛直方向に向けて設置される筒状の筐体２の上端部に振動板４が上方へ向くように取り付け、スピーカーユニット１の下向きとなった背面側から支持棒７を垂下させ、支持棒７の下端部を筐体２に係止したスピーカー装置において、繊維糸を使って編み上げた編物により、芯部吸音材８ａ，８ｂ及び周部吸音材９の少なくともいずれかを筒状に形成し、芯部吸音材８ａ，８ｂは、支持棒７の外周に嵌められ、周部吸音材９は、筐体２の内周に嵌められるものとし、芯部吸音材８ａ，８ｂと周部吸音材９の間に形成された空間を、筐体２の下端へ連通させて外部に開放する。【選択図】図２
2016054436.tif 000002
【特許請求の範囲】
【請求項１】
電気信号を空気振動に変換して音を再生するスピーカーユニット(1)を、鉛直方向に向けて設置される筒状の筐体(2)の上端部に振動板(4)が上方へ向くように取り付け、スピーカーユニット(1)の下向きとなった背面側から支持棒(7)を垂下させ、支持棒(7)の下端部を筐体(2)に係止したスピーカー装置において、
繊維糸を使って編み上げた編物により、芯部吸音材(8a,8b)及び周部吸音材(9)の少なくともいずれかを筒状に形成し、芯部吸音材(8a,8b)は、支持棒(7)の外周に嵌められ、周部吸音材(9)は、筐体(2)の内周に嵌められるものとし、芯部吸音材(8a,8b)と周部吸音材(9)の間に形成された空間を、筐体(2)の下端へ連通させて外部に開放したことを特徴とするスピーカー装置。
【発明の詳細な説明】
【技術分野】
【０００１】
この発明は、コンパクトでありながら広い音場空間が確保できる直立筒型のスピーカー装置に関するものである。
【背景技術】
【０００２】
一般に、スピーカー装置は、振動板、コイル、マグネット及びフレームから成るスピーカーユニットを、箱型や球状の筐体に振動板が正面に向くように取り付け、スピーカーユニットにより電気信号を振動板の振動に変換して音を再生するものとされ、筐体の背面は閉じられた構造となっている。
【０００３】
このような構造のスピーカー装置では、スピーカーユニットの振動板の背面から輻射された音波が筐体の壁面で反射され、振動板の背面に圧力を加え、音響インピーダンスのリアクタンス分を増加させるので、振動板の正面から放射される音圧が周波数によって変化し、位相特性も大きく乱れ、高忠実度再生が阻害されるという問題がある。
【０００４】
上記問題の改善を図ったスピーカー装置として、下記特許文献１（段落００７４−００７８、図２７）には、図４に示すものが記載されている。このスピーカー装置は、スピーカーユニット５１を、設置面Ｇ上に支持台５２により直立状態で支持される円筒状の筐体５３の上端部に、振動板５４が上方へ向くように取り付けたものとされている。
【０００５】
このスピーカー装置では、振動板５４の下側に位置するマグネット５５の背面から下方へ棒状錘５６を延設し、棒状錘５６の外周のほぼ全体を円筒形状のウレタンチューブ５７で包囲し、これにガラス繊維の吸音シート５８を巻き付け、さらにその最上部に、グラスウールやフェルトの吸音材５９を巻き付けて、これを筐体５３内に充填している。
【０００６】
ところが、このようなスピーカー装置では、音質を微妙に調整して設定することができず、また、製造に際し、吸音材５８，５９を棒状錘５６の周りに巻き付けた状態に保持するため、糸で縛る等の作業が必要となり、手間がかかるほか、量産する際、吸音材５８，５９を均一に巻き付けて、音質を安定させるのが難しいという問題がある。
【０００７】
そのため、下記特許文献２では、図５に示すように、スピーカーユニット６１を、鉛直方向へ向けて設置される筒状の筐体６２の上端部に取り付けたスピーカー装置において、スピーカーユニット６１の背面側から下方へ延びる支持棒６３に、弾性を有するスポンジ状の芯部吸音材６４を上部から下部まで多数枚積層して挿通し、筐体６２の内部に、上下に連通する空間を確保しつつ、芯部吸音材６４を支持棒６３と共に挿入し、筐体６２の下端部に、内部空間を外部に開放する保持部材６５を嵌めて、保持部材６５により芯部吸音材６４を下方から受け止め、支持棒６３の下端部と保持部材６５とを緩衝部材６６を介して係止するスピーカー装置を提案している。
【０００８】
このスピーカー装置では、芯部吸音材６４の形状や向き、積層する数、材質等を種々変更することにより、音質を容易に調整して設定することができ、特許文献１に記載のスピーカー装置のように、吸音材を巻き付けて糸で縛る等の作業が不要となるので、製造時のばらつきが生じることがなく、作業性に優れ、良好で安定した音質が得られる。
【先行技術文献】
【特許文献】
【０００９】
【特許文献１】特許第３４８４１４３号公報
【特許文献２】特開２０１２−１８２６２９号公報
【発明の概要】
【発明が解決しようとする課題】
【００１０】
しかしながら、上記特許文献２に記載のスピーカー装置では、音質の調整をする際、細分化された芯部吸音材を組み替えなければならず、製造に際しても、芯部吸音材の嵌め付けに多少の手間を要することとなる。
【００１１】
そこで、この発明は、音質の調整を容易に行うことができ、製造作業のさらなる効率化が可能な直立筒型のスピーカー装置を提供することを課題とする。
【課題を解決するための手段】
【００１２】
上記のような課題を解決するため、この発明では、電気信号を空気振動に変換して音を再生するスピーカーユニットを、鉛直方向に向けて設置される筒状の筐体の上端部に振動板が上方へ向くように取り付け、スピーカーユニットの下向きとなった背面側から支持棒を垂下させ、支持棒の下端部を筐体に係止したスピーカー装置において、繊維糸を使って編み上げた編物により、芯部吸音材及び周部吸音材の少なくともいずれかを筒状に形成し、芯部吸音材は、支持棒の外周に嵌められ、周部吸音材は、筐体の内周に嵌められるものとし、芯部吸音材と周部吸音材の間に形成された空間を、筐体の下端に連通させて外部に開放したのである。
【発明の効果】
【００１３】
この発明に係るスピーカー装置では、筒状となった編物の吸音材を伸縮させたり捻ったりして、外径又は内径を部分的に変化させたり、長さを変化させたりすることができるので、細分化された芯部吸音材を組み替えたりすることなく、音質の調整を容易に行うことができ、製造作業も効率的に行うことができる。
【００１４】
また、繊維糸の編物である吸音材が柔軟で空気接触面積の大きなものとなっていることから、スピーカーユニットの背面から輻射された乱れのある微弱な音波が筐体の内部で吸収され、雑味のない爽やかな音質を得ることができる。
【図面の簡単な説明】
【００１５】
【図１】この発明の実施形態に係るスピーカー装置の概略斜視図
【図３】同上のスピーカー装置の縦断側面図
【図２】同上のスピーカー装置の分解斜視図
【図４】特許文献１に係るスピーカー装置の一部切欠斜視図
【図５】特許文献２に係るスピーカー装置の概略斜視図
【発明を実施するための形態】
【００１６】
以下、この発明の実施形態を図１〜図３に基づいて説明する。
【００１７】
このスピーカー装置は、上記特許文献２に記載のものと外形上の基本形態が共通するものであり、スピーカーユニット１を、鉛直方向に向けて設置される円筒状の筐体２の上端部に取り付け、この筐体２を、３本の脚体３ａを有する支持台３により、グランドとなる床やラック等の設置面上に支持する直立筒型とされている。筐体２は、金属又は樹脂製とされている。
【００１８】
スピーカーユニット１は、振動板４をフレーム５で支持し、振動板４の中心部の背面側にコイルとマグネット６とを備え、コイルに入力された電気信号を、コイルとマグネット６との相互作用により振動板４の振動に変換して、音を再生するものであり、音場空間を広く確保するため、振動板４が上方へ向くように筐体２に取り付けられている。
【００１９】
マグネット６の中心部には、組立状態で下方へ向けて延びるように、金属製ねじ棒である支持棒７の上端部がねじ込んで固定されている。支持棒７の下端部は、後述のように筐体２に係止されている。
【００２０】
このスピーカー装置では、筐体２の内部の残響を抑制する吸音材として、毛糸等の繊維糸を使って筒状に編み上げた無縫製の編物である小径の芯部吸音材８ａ，８ｂ及び大径の周部吸音材９が主体的に使用される。芯部吸音材８ａ，８ｂ及び周部吸音材９は、それぞれ周方向の伸縮性に富んだリブ編みとされている。
【００２１】
なお、芯部吸音材８ａ，８ｂ及び周部吸音材９は、必ずしも全長に亘って同一径である必要はなく、ラッパ状に端部が広がった形状等としてもよい。また、編み方は、リブ編みに限定されることはなく、他の編み方としてもよい。
【００２２】
そして、このような芯部吸音材８ａを保持するため、支持棒７の中間部から上部へ至る部分の外周には、弾性を有するウレタンフォーム等から成る長尺のスポンジ板を材料とした中間保持材１０ａが巻き付けられ、中間保持材１０ａの外周に芯部吸音材８ａが多重に重ねて嵌められている。
【００２３】
また、芯部吸音材８ｂを保持するため、支持棒７の下方部分の外周には、紙管から成る中間保持材１０ｂが支持棒７との間に間隔を開けて嵌められ、その外周に沿って芯部吸音材８ｂが嵌められている。
【００２４】
筐体２の内周には、上下端部を除いてほぼ高さ方向全長に亘るように、周部吸音材９が嵌められ、接着固定されている。
【００２５】
また、吸音材として、弾性を有するウレタンフォーム等から成る小片のスポンジ板を材料とした円形吸音材１１ａ及び星形吸音材１１ｂも付帯的に使用される。
【００２６】
このスピーカー装置の組み立てに際しては、筐体２の上端部に、スピーカーユニット１を嵌合保持するため、短円筒状の取付部材１２が嵌められ、取付部材１２の溝部には、ゴム製の緩衝部材１３が嵌められる。スピーカーユニット１の外周部の上方には、振動板４を保護するため、ドーム状のメッシュ部分を有する保護カバー１４が被せられる。
【００２７】
支持台３の開口部から立ち上がる接続筒１５の外周には、起立支持材１６が嵌合固定される。起立支持材１６は、接続筒１５に内接する大径部から上方へかけて逆漏斗状に窄められ、上部に小径部が形成された形状とされている。そして、起立支持材１６の大径部外周に筐体２の下端部が嵌合固定され、起立支持材１６の小径部外周に中間保持材１０ｂの下端部が嵌合固定される。
【００２８】
起立支持材１６の小径部及び中間保持材１０ｂの下端部外周には、円形吸音材１１ａ及び星形吸音材１１ｂが上下方向に交互に重ねて嵌められる。これらの組み合わせにより、吸音特性を調整することができる。
【００２９】
支持台３の開口部には、保持部材１７が嵌められる。保持部材１７は、中央側のボス部と外周側のリング部を繋ぐスポーク間が開口したものとされ、支持棒７の下端部と保持部材１７とがゴム製の緩衝部材１８を介して係止される。
【００３０】
この係止部においては、保持部材１７のボス部から下方へ突出した支持棒７が緩衝部材１８の中央の穴に挿通され、緩衝部材１８から下方へ突出した支持棒７にワッシャ１９が嵌められて、ナット２０が締め付けられる。これに伴い、緩衝部材１３，１８に圧縮力が付与された状態で、スピーカーユニット１と筐体２とが一体化される。
【００３１】
このように組み立てると、芯部吸音材８ａ，８ｂと周部吸音材９の間には、上下に連通する空間が確保され、この空間が中間保持材１０ｂの内部空間と連通し、筐体２の内部空間は、支持台３の開口部で外部に開放されたものとなる。
【００３２】
上記のようなスピーカー装置では、筒状となった芯部吸音材８ａ，８ｂ及び周部吸音材９を伸縮させたり捻ったりして、外径又は内径を部分的に変化させたり、長さを変化させたりすることができるので、細分化された芯部吸音材を組み替えたりすることなく、音質の調整を容易に行うことができ、製造作業も効率的に行うことができる。
【００３３】
また、繊維糸の編物である芯部吸音材８ａ，８ｂと周部吸音材９とが柔軟で空気接触面積の大きなものとなっていることから、スピーカーユニット１の背面から輻射された乱れのある微弱な音波が筐体２の内部で芯部吸音材８ａ，８ｂ及び周部吸音材９により吸収され、雑味のない爽やかな音質を得ることができる。
【００３４】
ところで、上記実施形態では、芯部吸音材８ａ，８ｂ及び周部吸音材９を全て編物としたが、これらのうち、いずれかを編物とし、他のものをスポンジ状のウレタンフォームやグラスウール、フェルト等から成るものとしてもよい。また、芯部吸音材８ａ，８ｂの材質や形状によっては、中間保持材１０ａ，１０ｂを省略してもよい。
【符号の説明】
【００３５】
１  スピーカーユニット
２  筐体
３  支持台
３ａ  脚体
４  振動板
５  フレーム
６  マグネット
７  支持棒
８ａ，８ｂ  芯部吸音材
９  周部吸音材
１０ａ，１０ｂ  中間保持材
１１ａ  円形吸音材
１１ｂ  星形吸音材
１２  取付部材
１３  緩衝部材
１４  保護カバー
１５  接続筒
１６  起立支持材
１７  保持部材
１８  緩衝部材
１９  ワッシャ
２０  ナット
【図１】
2016054436.tif 000003
【図２】
2016054436.tif 000004
【図３】
2016054436.tif 000005
【図４】
2016054436.tif 000006
【図５】
2016054436.tif 000007